(57)【要約】【課題】接続時にユーザの意図に沿った通信サービスを開始できるようにする。【解決手段】外部装置からの通信要求に応じてデータを返答する第１の通信手段と、前記第１の通信手段より長距離の通信が可能な第２の通信手段と、前記第１の通信手段で応答するためのデータを保持する記憶手段と、ユーザが操作する操作手段とを備え、前記記憶手段が保持するデータは、少なくとも他の機器が通信する通信先に関する情報を含み、前記操作手段の操作に応じて前記記憶手段に保持するデータを変更する。【選択図】図７
2017091354.tif 000002
【特許請求の範囲】
【請求項１】
外部装置からの通信要求に応じてデータを返答する第１の通信手段と、
前記第１の通信手段より長距離の通信が可能な第２の通信手段と、
前記第１の通信手段で応答するためのデータを保持する記憶手段と、
ユーザが操作する操作手段と、
各部の動作を制御する制御手段とを備え、
前記記憶手段が保持するデータは、少なくとも他の機器が通信する通信先に関する情報を含み、
前記制御手段は、前記操作手段の操作に応じて前記記憶手段に保持するデータを変更することを特徴とする通信装置。
【請求項２】
少なくとも電源オフモードと電源オンモードの２つの動作状態を有し、
前記記憶手段は、前記電源オフモードと前記電源オンモードではそれぞれ異なる通信先に関する情報を保持することを特徴とする請求項１に記載の通信装置。
【請求項３】
少なくとも電源オンモードの場合は、
前記記憶手段は、前記第２の通信手段により本装置と通信するための設定情報を保持することを特徴とする請求項２に記載の通信装置。
【請求項４】
映像を撮影する撮像手段と、
前記撮像手段により撮影した映像を映像データとして保持する第２の記憶手段と、
前記映像を表示する表示手段とを備え、
前記電源オンモードは、少なくとも撮影モードと再生モードの動作状態からなり、
前記撮影モードでは、ユーザの操作に応じて前記撮像手段により取得した映像を映像データとして前記第２の記憶手段に保存するように動作し、
前記再生モードでは、ユーザの操作に応じて前記第２の記憶手段に格納された映像データを前記表示手段に表示するように動作し、
前記記憶手段は、前記電源オフモードと前記撮影モードと前記再生モードではそれぞれ異なる通信先に関する情報を保持することを特徴とする請求項２または３に記載の通信装置。
【請求項５】
前記第２の通信手段により受信するＨＴＴＰリクエストに応答するＨＴＴＰサーバ手段を有することを特徴とする請求項１〜４の何れか１項に記載の通信装置。
【請求項６】
前記記憶手段に保持する通信先に関する情報は、ＵＲＩ形式のデータであることを特徴とする請求項１〜５の何れか１項に記載の通信装置。
【請求項７】
前記電源オフモードにおいて、前記第１の通信手段が外部装置からの通信要求を受信した場合に、
前記制御手段は、少なくとも前記第２の通信手段が通信可能になるように制御することを特徴とする請求項２〜６の何れか１項に記載の通信装置。
【請求項８】
前記電源オフモードの場合においても、
前記記憶手段は、前記第２の通信手段により本装置と通信するための設定情報を含むデータを保持することを特徴とする請求項２〜６の何れか１項に記載の通信装置。
【請求項９】
前記記憶手段に保持するＵＲＩ形式のデータは、前記ＨＴＴＰサーバ手段に接続するためのＵＲＩであることを特徴とする請求項５〜８の何れか１項に記載の通信装置。
【請求項１０】
前記電源オフモードの場合には、
前記記憶手段は、前記第２の記憶手段が保持する映像データの全てあるいは一部の情報を表示するためのＵＲＩを保持することを特徴とする請求項２〜９の何れか１項に記載の通信装置。
【請求項１１】
前記ＵＲＩで表示される情報には、当該ＵＲＩで情報を表示する映像データの縮小映像を含むことを特徴とする請求項６〜１０の何れか１項に記載の通信装置。
【請求項１２】
電源オンモードの場合には、
前記記憶手段は、前記ＨＴＴＰサーバ手段に接続するためのＵＲＩ形式のデータを保持し、
電源オフモードの場合には、
前記記憶手段は、前記ＨＴＴＰサーバ手段以外に接続するためのＵＲＩ形式のデータを保持することを特徴とする請求項５〜１１の何れか１項に記載の通信装置。
【請求項１３】
撮影モードの場合は、
前記記憶手段は、前記撮像手段が取得している映像を表示するためのＵＲＩを保持することを特徴とする請求項４に記載の通信装置。
【請求項１４】
前記ＵＲＩで表示される情報には、撮像手段を駆動して映像を撮影するための機能を有することを特徴とする請求項６〜１０の何れか１項に記載の通信装置。
【請求項１５】
前記再生モードの場合は、
前記記憶手段は、前記表示手段が表示している映像データを表示するためのＵＲＩを保持することを特徴とする請求項４〜１４の何れか１項に記載の通信装置。
【請求項１６】
前記操作手段により前記第２の記憶手段に保持する一つ以上の映像データを選択することができ、
前記記憶手段は、前記再生モードの場合は、前記操作手段により選択された映像データの全てあるいは一部の情報を表示するためのＵＲＩを保持することを特徴とする請求項４〜１５の何れか１項に記載の通信装置。
【請求項１７】
前記ＵＲＩで表示される情報には、当該ＵＲＩで情報を表示する映像データの縮小映像を含むことを特徴とする請求項１６に記載の通信装置。
【請求項１８】
前記操作手段により前記第２の記憶手段に保持する一つ以上の映像データを選択することができ、
前記記憶手段は、前記再生モードの場合は、前記操作手段により選択された映像データの全てあるいは一部を連続して表示するためのＵＲＩを保持することを特徴とする請求項４〜１５の何れか１項に記載の通信装置。
【請求項１９】
前記操作手段により操作が行われたことをきっかけとして前記記憶手段に保持するＵＲＩ形式のデータを更新することを特徴とする請求項６〜１８の何れか１項に記載の通信装置。
【請求項２０】
前記第１の通信手段に対する通信要求を検出した場合に、前記記憶手段に保持するＵＲＩ形式のデータを更新することを特徴とする請求項６〜１８の何れか１項に記載の通信装置。
【請求項２１】
前記第１の通信手段は、近接無線通信方式（ＮＦＣ）による通信を行うことを特徴とする請求項１〜２０の何れか１項に記載の通信装置。
【請求項２２】
前記第１の通信手段は、ＲＦＩＤによる通信を行うことを特徴とする請求項１〜２０の何れか１項に記載の通信装置。
【請求項２３】
前記第２の通信手段は、無線ＬＡＮによる通信を行うことを特徴とする請求項１〜２０の何れか１項に記載の通信装置。
【請求項２４】
前記第２の通信手段は、Ｂｌｕｅｔｏｏｔｈによる通信を行うことを特徴とする請求項１〜２０の何れか１項に記載の通信装置。
【請求項２５】
外部装置からの通信要求に応じてデータを返答する第１の通信手段と、
前記第１の通信手段より長距離の通信が可能な第２の通信手段と、
前記第１の通信手段で応答するためのデータを記憶媒体に保持する記憶手段と、
ユーザが操作する操作手段と、
各部の動作を制御する制御手段とを備えた通信装置の制御方法であって、
前記記憶媒体が保持するデータは、少なくとも他の機器が通信する通信先に関する情報を含み、
前記制御手段は、前記操作手段の操作に応じて前記記憶媒体に保持するデータを変更することを特徴とする通信装置の制御方法。
【請求項２６】
請求項１〜２４の何れか１項に記載の通信装置の各手段としてコンピュータを機能させることを特徴とするプログラム。
【発明の詳細な説明】
【技術分野】
【０００１】
本発明は通信装置、通信装置の制御方法及びプログラムに関し、特に、外部装置と通信し、データの送受信が可能な通信装置に関する。
【背景技術】
【０００２】
近年、携帯端末が無線通信を介して直接映像データを送受信することが行われている。例えば、デジタルカメラからスマートフォンやタブレット端末に画像データを転送したり、デジタルカメラ内の映像を表示したりするシステムが実現されている。
【０００３】
このようなシステムにおいて、スマートフォンやタブレット端末は、デジタルカメラの無線通信により接続を確立する。そして、その後に、そのデジタルカメラ内の映像の一覧表示(サムネイル表示)か、デジタルカメラ内の映像を検索(ブラウズ)するためのメニューを表示するのが一般的である。しかしながら、デジタルカメラと接続したスマートフォンやタブレット端末のユーザにとって、必ずしもサムネイル表示やメニュー表示が最適な表示であるとは限らない。
【０００４】
そこで、例えば特許文献１では、蓄積しているコンテンツの一覧をＲＦＩＤに記載し、映像データの取得のための無線通信接続を確立する前に、蓄積しているコンテンツ一覧を取得することのできるシステムを提案している。
特許文献１によれば、あらかじめの蓄積しているコンテンツの情報を取得できるため、例えば無線通信接続時に、最新のコンテンツを優先的に取得して表示することができる。
【先行技術文献】
【特許文献】
【０００５】
【特許文献１】特開２００６−２５９９８２号公報
【発明の概要】
【発明が解決しようとする課題】
【０００６】
しかしながら、特許文献１では、事前にコンテンツの一覧情報しか取得できない。そのため、例えばユーザがリモート撮影を目的に無線通信しようと考えている場合などには対応できず、必ずしもユーザの意図に沿った通信を開始できるとは限らなかった。
本発明は前述の問題点に鑑み、接続時にユーザの意図に沿った通信サービスを開始できるようにすることを目的とする。
【課題を解決するための手段】
【０００７】
本発明の通信装置は、外部装置からの通信要求に応じてデータを返答する第１の通信手段と、前記第１の通信手段より長距離の通信が可能な第２の通信手段と、前記第１の通信手段で応答するためのデータを保持する記憶手段と、ユーザが操作する操作手段と、各部の動作を制御する制御手段とを備え、前記記憶手段が保持するデータは、少なくとも他の機器が通信する通信先に関する情報を含み、前記制御手段は、前記操作手段の操作に応じて前記記憶手段に保持するデータを変更することを特徴とする。
【発明の効果】
【０００８】
本発明によれば、接続時にユーザの意図に沿った通信サービスを開始することができる。
【図面の簡単な説明】
【０００９】
【図１】第１の実施形態における通信装置を用いた通信システムの構成例を説明するブロック図である。
【図２】第１の実施形態および第２の実施形態における通信装置の外観を示す図である。
【図３】第１の実施形態および第２の実施形態における通信装置と通信しうる携帯電話の外観を示す図である。
【図４】第１の実施形態におけるネットワーク構成を説明する図である。
【図５】第１の実施形態および第２の実施形態における通信装置の記憶媒体内のデータを模式的に説明する図である。
【図６】第１の実施形態における通信装置の状態遷移と、各状態における通信関連機能の状況を説明する図である。
【図７】第１の実施形態における通信装置と、当該通信装置と通信しうる携帯電話の動作手順を説明するフローチャートである。
【図８】第１の実施形態および第２の実施形態におけるＨＴＴＰサーバ機能が提供するＨＴＭＬデータのツリー構造を示す図である。
【図９】第１の実施形態および第２の実施形態における通信装置と通信しうる携帯電話の画面例を示す図である。
【図１０】第１の実施形態における通信装置の、動作モードとＵＲＩの関係を説明する図である。
【図１１】第１の実施形態におけるデータ処理装置が第１の通信手段で送信するデータを模式的に表した図である。
【図１２】第２の実施形態における通信装置を用いた通信システムの構成例を示すブロック図である。
【図１３】第２の実施形態におけるネットワーク構成を説明する図である。
【図１４】第２の実施形態における通信装置の状態遷移と、各状態における通信関連機能の状況を説明する図である。
【図１５】第２の実施形態における通信装置と、当該通信装置と通信しうる携帯電話の動作手順を説明するフローチャートである。
【図１６】第２の実施形態におけるデータ処理装置が第１の通信手段で送信するデータを模式的に表した図である。
【図１７】第２の実施形態のおける通信装置の、動作モードとＵＲＩの関係を説明する図である。
【図１８】第２の実施形態における通信装置と通信しうる携帯電話の画面例を示す図である。
【発明を実施するための形態】
【００１０】
以下、図面を参照しながら本発明の実施の形態について説明する。
［第１の実施形態］
第１の実施形態においては、本発明の通信装置を近接無線通信方式ＮＦＣ（Ｎｅａｒ  Ｆｉｅｌｄ  Ｃｏｍｍｕｎｉｃａｔｉｏｎ）と無線ＬＡＮ機能を有するデジタルカメラとした場合を例にして説明する。本実施形態では、通信装置が扱うデータを映像データ（静止画または動画）とし、本実施形態の通信装置と通信しうる装置をＮＦＣと無線ＬＡＮ機能を有する携帯電話（スマートフォン）とする。
【００１１】
＜装置説明＞
図１は、本発明の通信装置を用いたシステム全体の構成を示すブロック図である。
図１において、１００は本実施形態におけるデジタルカメラであり、後述のＣＰＵ１０１〜システムバス１１３のユニットで構成される。
１５０は、本実施形態におけるデジタルカメラと無線ＬＡＮ機能を用いて通信しうる携帯電話であり、後述のＣＰＵ１５１〜システムバス１６０のユニットで構成される。
１７０は、移動体通信網を模式的に表したものであり、後述の３Ｇ通信部１５７が接続することのできる携帯電話事業者によるネットワーク通信網である。
【００１２】
移動体通信網１７０は、多数の基地局・基地局間ネットワーク・インターネットとのゲートウェイなどから構成される。
携帯電話１５０は、移動体通信網１７０を介して他の携帯電話やインターネット上の端末と通信を行うことができる。
１８０は、インターネットを模式的に表したものであり、移動体通信網１７０はインターネット１８０とも接続されている。
【００１３】
デジタルカメラ１００について、図１を参照しながら説明する。
システムバス１１３に対して、ＣＰＵ１０１、メモリ１０２、不揮発性メモリ１０３、操作部１０４、表示部１０５、記憶媒体Ｉ／Ｆ１０６、撮像部１０８、画像処理部１０９、バッテリ１１０、近接無線通信部１１１、無線ＬＡＮ部１１２が接続されている。
【００１４】
ＣＰＵ１０１は、本実施形態のデジタルカメラ１００の全体の制御をつかさどり、後述する各ユニットを制御し、ユーザの設定と操作に応じて画像を記録する。
メモリ１０２は書き換え可能なメモリであり、デジタルカメラ１００を制御するプログラムが作業領域として使用する。メモリ１０２は、例えばＲＡＭ（半導体素子を利用した揮発性のメモリ）などからなる。
【００１５】
不揮発性メモリ１０３は、後述する近接無線通信部１１１で応答するデータを格納する記憶手段として機能する。不揮発性メモリ１０３は、そのほかに、デジタルカメラ１００を制御するプログラムと、画像データや音声データ・その他のデータなどプログラムが使用するデータも格納する。また、デジタルカメラ１００のユーザ設定情報など、電源サイクルを超えて保持する必要のあるデータも同様に不揮発性メモリ１０３に格納される。デジタルカメラ１００に電源が投入されると、ＣＰＵ１０１は不揮発性メモリ１０３からプログラムを読み込み、デジタルカメラ１００の制御を開始する。不揮発性メモリ１０３は、例えばフラッシュメモリやＥＥＰＲＯＭなどからなる。
【００１６】
操作部１０４は、ユーザの指示をデジタルカメラ１００に伝えるために使用する操作手段であり、複数のボタンやダイヤルなどより構成される。
表示部１０５は、ＣＰＵ１０１の制御に基づいて、画像やＧＵＩ（Ｇｒａｐｈｉｃａｌ  Ｕｓｅｒ  Ｉｎｔｅｒｆａｃｅ）を構成する画面などを表示する。表示部１０５は、例えば、液晶表示装置（ＬＣＤ）とそれをコントロールするＬＣＤドライバユニットで構成される。ＣＰＵ１０１は、プログラムに従い表示制御信号を生成し、映像信号を生成して表示部１０５に出力するようにデジタルカメラ１００の各部を制御する。表示部１０５は、出力された映像信号に基づいて映像を表示する。
【００１７】
記憶媒体Ｉ／Ｆ１０６は、メモリカードなどの記憶媒体１０７を装着するためのインターフェースである。ＣＰＵ１０１の制御に基づき、記憶媒体Ｉ／Ｆ１０６に装着された記憶媒体１０７からのデータの読み出しや、当該記憶媒体１０７に対するデータの書き込みを行う。
記憶媒体１０７は、データ保持手段として設けられており、撮影した画像データを保持するための第２の記憶手段として書き換え可能な不揮発性メモリである。例えば、ＳＤカードやコンパクトフラッシュ（登録商標）カードが用いられる。
【００１８】
撮像部１０８は、ＣＰＵ１０１の制御に基づいて、映像（光）を電気的な映像信号に変換し、映像信号をシステムバス１１３に出力する。撮像部１０８は、例えば、光学レンズユニットと絞り・ズーム・フォーカスなど制御する光学系と、光学レンズユニットを経て導入された光（映像）を電気的な映像信号に変換するための撮像素子などで構成される。撮像素子としては、一般的には、ＣＭＯＳを利用したＣＭＯＳ撮像素子（ＣＭＯＳイメージセンサー）か、ＣＣＤを利用したＣＣＤ撮像素子（ＣＣＤイメージセンサー）が利用される。
【００１９】
画像処理部１０９は、ＣＰＵ１０１の制御に基づいて、不揮発性メモリ１０３や記憶媒体１０７に格納された画像データや、撮像部１０８が出力する映像信号に対して各種画像処理を施す。画像処理部１０９が行う画像処理には、Ａ／Ｄ変換処理、Ｄ／Ａ変換処理、画像データの符号化処理、圧縮処理、デコード処理、拡大／縮小処理（リサイズ）、ノイズ低減処理、色変換処理、顔検出処理などが含まれる。画像処理部１０９は、特定の画像処理を施すための専用の回路ブロックで構成してもよい。また、画像処理の種別によっては画像処理部１０９を用いずにＣＰＵ１０１がプログラムに従って画像処理を施すことも可能である。
バッテリ１１０は、デジタルカメラ１００が動作するための動作電力を供給するためのユニットである。バッテリ１１０は、充電可能な二次電池からなるユニットで、図示しない外部のバッテリ充電器により充電することができる。
【００２０】
近接無線通信部１１１は、非接触近接通信を実現する第１の通信手段を構成するための通信ユニットである。近接無線通信部１１１は、無線通信のためのアンテナと無線信号を処理するため変復調回路や通信コントローラから構成される。近接無線通信部１１１は、変調した無線信号をアンテナから出力し、またアンテナで受信した無線信号を復調することによりＩＳＯ／ＩＥＣ  １４４４３やＩＳＯ／ＩＥＣ  １８０９２（ＮＦＣ）に従った非接触近接通信を実現する。
【００２１】
近接無線通信部１１１は、他のＮＦＣデバイスからデータ読み出し要求を受けると、不揮発性メモリ１０３に格納されているデータに基づき、外部からの通信要求に応じてデータを返答して応答データを出力し返答する。本実施形態では、近接無線通信部１１１は、後述の携帯電話１５０の近接無線通信部１５８と近接した際に、携帯電話１５０の近接・離反の検出、無線ＬＡＮ部１１２と無線ＬＡＮ部１５９で使用する通信パラメータの送受信などに利用される。
【００２２】
無線ＬＡＮ部１１２は、近接無線通信部１１１より長距離の無線通信を実現する第２の通信手段を構成するための通信ユニットである。無線ＬＡＮ部１１２は、無線通信のためのアンテナと無線信号を処理するための通信コントローラから構成され、ＩＥＥＥ８０２．１１ａ・ｂ・ｇ・ｎに従った無線通信を実現する。本実施形態では、無線ＬＡＮ部１１２は、後述の携帯電話１５０の無線ＬＡＮ部１５９との間などで、データ通信を行う際に利用される。
システムバス１１３に接続される各部は、システムバス１１３を介して互いにデータのやりとりを行うことができるようにされている。
【００２３】
次に、携帯電話１５０について説明する。
図１において、システムバス１６０に対して、ＣＰＵ１５１、メモリ１５２、不揮発性メモリ１５３、表示部１５４、操作部１５５、バッテリ１５６、３Ｇ通信部１５７、近接無線通信部１５８、無線ＬＡＮ部１５９が接続されている。
【００２４】
ＣＰＵ１５１は、携帯電話１５０の制御をつかさどり、後述する各ユニットを制御し、ユーザの設定と操作に応じて、通話・インターネット上のデータへのアクセス等を行う。
メモリ１５２は書き換え可能なメモリであり、携帯電話１５０を制御するプログラムが作業領域として使用する。また、３Ｇ通信部１５７や無線ＬＡＮ部１５９から受信するデジタルコンテンツデータや、表示部１５４が表示するための映像データを保存するためのバッファとしても使用される。メモリ１５２は、例えばＲＡＭ（半導体素子を利用した揮発性のメモリ）などからなる。
【００２５】
不揮発性メモリ１５３は、携帯電話１５０を制御するプログラムと、画像データや文字データ・その他のデータなどプログラムが使用するデータを格納する。同様に、携帯電話１５０で動作するＷｅｂブラウザ、動画再生プレーヤなどのアプリケーションプログラムも同様に格納する。また、携帯電話１５０のユーザ設定情報など、電源サイクルを超えて保持する必要のあるデータも同様に不揮発性メモリ１０３に格納される。携帯電話１５０に電源が投入されると、ＣＰＵ１５１は不揮発性メモリ１５３からプログラムを読み込み、携帯電話１５０の制御を開始する。不揮発性メモリ１５３は、例えばフラッシュメモリやＥＥＰＲＯＭなどからなる。
【００２６】
表示部１５４は、ＣＰＵ１５１の制御に基づいて、画像やＧＵＩ（Ｇｒａｐｈｉｃａｌ  Ｕｓｅｒ  Ｉｎｔｅｒｆａｃｅ）からなる画面などを表示する。表示部１５４は、例えば、液晶表示装置（ＬＣＤ）とそれをコントロールするＬＣＤドライバユニットで構成される。ＣＰＵ１５１は、プログラムに従い表示制御信号を生成し、映像信号を生成して表示部１５４に出力するように携帯電話１５０の各部を制御する。表示部１５４は、出力された映像信号に基づいて映像を表示する。
【００２７】
操作部１５５は、ユーザの指示を携帯電話１５０に伝えるために使用され、複数のボタンとタッチパネルから構成される。操作部１５５はボタンの押下や、タッチパネルが検出する座標情報などをＣＰＵ１５１に通知する。
バッテリ１５６は、携帯電話１５０が動作するための電力を供給するためのユニットであり、充電可能な二次電池からなるユニットで、図示しない外部電源装置からの電力により充電することができる。
【００２８】
３Ｇ通信部１５７は、携帯電話１５０と移動体通信網１７０間の音声通信およびデータ通信をつかさどるユニットである。３Ｇ通信部１５７は、無線通信を行うためのアンテナと無線信号を処理するための通信コントローラから構成され、Ｗ‐ＣＤＭＡ（ＵＭＴＳ）にしたがって無線通信を実現する。本実施形態では、３Ｇ通信部１５７は、ＣＰＵ１５１の制御に基づいて移動体通信網１７０を構成する基地局の一つと接続し、移動体通信網１７０に接続された他の携帯電話や、インターネット１８０上の端末などと音声通信あるいはデータ通信を行う。
【００２９】
近接無線通信部１５８は、非接触近接通信を実現するための通信ユニットであり、無線通信のためのアンテナと無線信号を処理するため変復調回路や通信コントローラから構成される。近接無線通信部１５８は、変調した無線信号をアンテナから出力し、またアンテナで受信した無線信号を復調することによりＩＳＯ／ＩＥＣ  １４４４３やＩＳＯ／ＩＥＣ  １８０９２に従った非接触近接通信を実現する。本実施形態では、近接無線通信部１５８は、前述のデジタルカメラ１００の近接無線通信部１１１と近接した際に、デジタルカメラ１００の近接・離反の検出や、無線ＬＡＮ部１５９と無線ＬＡＮ部１１２で使用する通信パラメータの送受信などに利用される。
【００３０】
無線ＬＡＮ部１５９は、近接無線通信部１５８より長距離の無線通信を実現するための通信ユニットである。無線ＬＡＮ部１５９は、無線通信のためのアンテナと無線信号を処理するための通信コントローラから構成され、ＩＥＥＥ８０２．１１ａ・ｂ・ｇ・ｎに従った無線通信を実現する。本実施形態では、前述のデジタルカメラ１００の無線ＬＡＮ部１１２との間などでデータ通信を行う際に利用される。
システムバス１６０に接続される各部は、システムバス１６０を介して互いにデータのやりとりを行うことができるようにされている。
【００３１】
図２は、デジタルカメラ１００の外観を表す図であり、（ａ）は正面図、（ｂ）は背面図、（ｃ）は底面図である。
図２において、２０１はシャッターボタンであり、操作部１０４を構成する。シャッターボタン２０１は、半押し状態と全押し状態とを区別して検出可能な２段階押し込みスイッチとなっており、半押し状態のときにオートフォーカス制御を開始し、全押し状態の場合に静止画データあるいは動画データを撮影するための撮影動作を開始する。また、動画データの撮影時にシャッターボタン２０１を全押しすると、動画データの撮影を終了する。
【００３２】
２０２はファインダー窓であり、撮影時の構図決定の際に被写体像を後述のファインダー接眼部２０５から確認することができる。
２０３はストロボであり、撮影時に必要に応じて発光し、暗い条件下でもきれいな静止画の撮影を可能にする。
２０４は撮影レンズであり、撮像部１０８を構成する。
２０５はファインダー接眼部であり、ユーザはここから被写体像を光学的に確認することができる。
【００３３】
２０６は電源ボタンであり、デジタルカメラ１００の電源をＯＮ・ＯＦＦする。
２０７はズームレバーであり、操作部１０４を構成する。ユーザは、ズームレバー２０７を上に押し上げるとズームイン動作を、ズームレバー２０７を下に押し下げるとズームアウト動作を指示することができる。
２０８はお気に入りボタンであり、操作部１０４を構成する。ユーザは、お気に入りボタン２０８を押下することにより、後述のＬＣＤ２１３に表示されている映像データをお気に入りと指定された映像データに変更することができる。
【００３４】
２０９はメニューボタンであり、操作部１０４を構成する。ユーザは、メニューボタン２０９を押下することにより、後述のＬＣＤ２１３に操作メニュー（ＧＵＩ）を表示させることができる。
２１０は再生ボタンであり、操作部１０４を構成する。ユーザは、再生ボタン２１０を押下することにより、記憶媒体１０７に記録されている映像データを後述するＬＣＤ２１３に表示することができる。
【００３５】
２１１は削除ボタンであり、操作部１０４を構成する。ユーザは、削除ボタン２１１を押下することにより、後述のＬＣＤ２１３に表示されている映像データを記憶媒体１０７から削除することができる。
２１２は十字コントローラであり、操作部１０４を構成する。十字コントローラ２１２は、上ボタン、下ボタン、左ボタン、右ボタン、中央の決定ボタンから構成される。ユーザは、十字コントローラ２１２を用いて、後述のＬＣＤ２１３に表示される映像データを変更したり、メニュー項目を選択したりすることができる。
【００３６】
２１３は撮影開始前には撮影範囲（構図の決定）に使用したり、操作メニューを表示したり、撮影した映像データを再生して表示するためのＬＣＤであり、表示部１０５を構成する。
２１４は近接無線通信を行うためのエリアである。すなわち、エリア２１４の部分に近接無線通信部１１１のアンテナが配置されている。携帯電話１５０の近接無線通信部１５８のアンテナがこのエリアに接近すると、近接無線通信部１１１と近接無線通信部１５８の間で通信が可能となる。
２１５は三脚を固定するためのねじ穴である。
２１６はバッテリ室であり、ユーザはこのバッテリ室２１６の中にバッテリ１１０と記憶媒体１０７を装着することができる。
【００３７】
図３は、携帯電話１５０の外観を表す図であり、（ａ）は正面図、（ｂ）は側面図、（ｃ）は背面図である。
３０１はタッチパネル付液晶ディスプレイであり、タッチパネル部は操作部１５５を、液晶ディスプレイ部は表示部１５４を構成する。ユーザはタッチパネル部を使用することで、タッチパネル付液晶ディスプレイ３０１に表示されるＧＵＩの操作などを行うことができる。
【００３８】
３０２は操作ボタンであり、操作部１５５を構成する。ユーザはこれらのボタンを用いることにより、携帯電話１５０の機能の切り替えや、表示部１５４に表示されるＧＵＩの操作などを行うことができる。
３０３はボリュームボタンであり、操作部１５５を構成する。ユーザはこれらのボタンを用いることにより、音声通信時の音量を制御することができる。
【００３９】
３０４は電源ボタンであり、操作部１５５を構成する。ユーザはこの電源ボタン３０４を用いることにより、携帯電話１５０の電源ＯＮ／ＯＦＦなどの操作を行うことができる。
３０５は、近接無線通信を行うためのエリアである。すなわち、エリア３０５の部分に近接無線通信部１５８のアンテナが配置されている。デジタルカメラ１００の近接無線通信部１１１のアンテナがこのエリア３０５に近接すると、無線ＬＡＮ部１５９と近接無線通信部１１１の間で通信が可能となる。
【００４０】
図４は、デジタルカメラ１００、携帯電話１５０の接続関係（ネットワーク構成）を説明する図である。ここでは音声通信ではなく、データ通信に限定して説明する。本実施形態のデジタルカメラ１００を用いるシステムでは、これらのネットワーク構成を必要に応じて構築することで通信を行う。
【００４１】
図４において、デジタルカメラ１００が無線ＬＡＮのアクセスポイントとなり、携帯電話１５０が無線ＬＡＮクライアントとしてデジタルカメラ１００に接続している。したがって、デジタルカメラ１００と携帯電話１５０は通信を行うことができる。このとき、デジタルカメラ１００は、ＨＴＴＰリクエストに応答するＨＴＴＰサーバ（Ｗｅｂサーバ）機能として動作する。そして、携帯電話１５０のＷｅｂブラウザ機能を用いてＨＴＴＰサーバが公開するデータ（記憶媒体１０７に格納されている映像データ等）を閲覧することができる。
【００４２】
図５は、記憶媒体１０７に格納されている映像データのフォルダ構成を模式的に表した図である。
このように、デジタルカメラ１００は、ＤＣＦ（Ｄｅｓｉｇｎ ｒｕｌｅ ｆｏｒ Ｃａｍｅｒａ  Ｆｉｌｅ ｓｙｓｔｅｍ）という規格に従って、撮影した映像データを記憶媒体１０７に保存している。
【００４３】
図６は、デジタルカメラ１００の動作モードを説明する図である。
図６（ａ）は、デジタルカメラ１００の動作状態の遷移を説明する状態遷移図である。
デジタルカメラ１００は、電源オフモード６０１と電源オンモード６０２を有する。デジタルカメラ１００は、バッテリ１１０が装着されると電源オフモード６０１に遷移し、電源ボタン２０６の押下により電源オフモード６０１と電源オンモード６０２間を交互に遷移する。
【００４４】
電源オフモード６０１は、サブ状態としてスリープモード６０３と待機モード６０４を有する。
スリープモード６０３においては、近接無線通信部１１１は有効であるものの、省電力のため無線ＬＡＮ部１１２は無効となっている。スリープモード６０３において、近接無線通信部１１１が他のＮＦＣデバイスと通信可能になる（すなわち、近接無線通信エリア２１４にＮＦＣデバイスが接近した場合）と、待機モード６０４に遷移する。
【００４５】
待機モード６０４においては、無線ＬＡＮ部１１２は有効となり、外部の無線ＬＡＮ機器からの接続を受け付けることができる。待機モード６０４において、所定の時間（例えば、５分間）ＮＦＣ通信が行われない場合は、スリープモード６０３に遷移する。
【００４６】
電源オンモード６０２は、サブ状態として撮影モード６０５、設定モード６０６、再生モード（１枚表示）６０７、再生モード（お気に入り一覧）６０８を有する。
撮影モード６０５では、ユーザはシャッターボタン２０１の押下により撮影を行うことができる。撮影モード６０５において、メニューボタン２０９が押下されると、デジタルカメラ１００は設定モード６０６に遷移するとともに、ＬＣＤ２１３に設定メニューを表示する。
【００４７】
設定モード６０６において、シャッターボタン２０１が押されると、デジタルカメラ１００は撮影モード６０５に復帰する。
撮影モード６０５において、再生ボタン２１０が押下されると、デジタルカメラ１００は再生モード（１枚表示）６０７に遷移する。それとともに、ＬＣＤ２１３に記憶媒体１０７に格納されている映像データの一つ（最後に撮影された映像データ）をＬＣＤ２１３に表示する。
【００４８】
再生モード（１枚表示）６０７において、十字コントローラ２１２の左右ボタンが押下されると、デジタルカメラ１００はＬＣＤ２１３に表示する映像データを、記憶媒体１０７に格納されている他の映像データに更新する。また、再生モード（１枚表示）６０７において、お気に入りボタン２０８が押下されると、デジタルカメラ１００は再生モード（お気に入り一覧）６０８に遷移する。それとともに、記憶媒体１０７に格納されている映像データのうち、図示しない操作メニューによりユーザによりお気に入りと指定された映像データを、ＬＣＤ２１３に表示する。この時、映像データは縮小されて表示され、ＬＣＤ２１３には複数の映像データが表示される（いわゆるサムネイル表示）。なお、再生モード（１枚表示）６０７において、シャッターボタン２０１が押されると、デジタルカメラ１００は撮影モード６０５に復帰する。
【００４９】
再生モード（お気に入り一覧）６０８において、十字コントローラ２１２の上下左右ボタンと決定ボタンを用いることでユーザはＬＣＤ２１３に表示されている複数の映像データのうち、いずれかを選択することができる。いずれかの映像データが選択されると、デジタルカメラ１００は、再生モード（１枚表示）６０７に遷移し、ＬＣＤ２１３に選択された映像データを表示する。
【００５０】
図６（ｂ）は、図６（ａ）の各状態において、デジタルカメラ１００のＮＦＣ通信機能、無線ＬＡＮ機能、ＨＴＴＰサーバ機能のそれぞれが利用可能な状態であるかどうかを示す図である。
図６（ｂ）で示すように、すべての状態でＮＦＣ通信機能は利用可能である。すなわち、近接無線通信部１１１は、近接無線通信エリア２１４にＮＦＣデバイスが接近すると、当該ＮＦＣデバイスを検出し、通信することができる。
【００５１】
一方、無線ＬＡＮ機能は、スリープモードにおいては利用することができない。デジタルカメラ１００がスリープモード以外の状態である場合は、無線ＬＡＮ機能は有効となり、無線ＬＡＮ部１１２は他の無線ＬＡＮ機器と通信を行うことができる。
また、図４において説明したデジタルカメラ１００のＨＴＴＰサーバ機能も同様に、スリープモードにおいては利用することができない。デジタルカメラ１００がスリープモード以外の状態である場合は、ＨＴＴＰサーバ機能は無線ＬＡＮ機能と共に有効となり、Ｗｅｂブラウザからの接続を受け付けることができるようになる。
【００５２】
＜動作説明＞
本実施形態における本発明のデジタルカメラ１００と、デジタルカメラ１００と通信しうる携帯電話１５０の動作を、図７のフローチャートおよび図８〜図１１を用いて説明する。
図７（ａ）は、デジタルカメラ１００において、近接無線通信部１１１に関わる処理を説明するフローチャートである。
Ｓ７０１では、ＣＰＵ１０１は、図６で示した各モード間を遷移させる事象（イベント）が発生したか否かを判定する。イベントが発生した場合はＳ７０２へ進み、イベントが発生していない場合はＳ７０５へ進む。
【００５３】
Ｓ７０２では、ＣＰＵ１０１は、図６の状態遷移図に従いカメラの動作モードを変更する。例えば、動作モードが「撮影モード」であった場合に、Ｓ７０１で「メニューボタン押下」のイベントを検出した場合は、動作モードを「設定モード」に遷移させる。なお、動作モードとイベントの組み合わせによっては動作モードの遷移が発生しない場合もありうる。
【００５４】
Ｓ７０３では、ＣＰＵ１０１は、Ｓ７０２で動作モードの変更があったか否かを判定する。動作モードの変更があった場合はＳ７０４へ、動作モードの変更がなかった場合はＳ７０５へ進む。
Ｓ７０４では、ＣＰＵ１０１は、デジタルカメラ１００のＨＴＴＰサーバ機能が提供するＵＲＩのうち、Ｓ７０２で決定した新しい動作モードに対応したＵＲＩを選択する。
【００５５】
Ｓ７０４におけるＵＲＩの選択方法について、図８〜１０を用いて説明する。
図８に、デジタルカメラ１００のＨＴＴＰサーバ機能が提供するＨＴＭＬデータのツリー構造を、図９に各ＨＴＭＬデータを携帯電話１５０のＷｅｂブラウザで表示させた場合の例を、図１０に動作モードとＳ７０４で選択するＵＲＩの関係を示す。
【００５６】
図８において、８０１は記憶媒体１０７に格納されている映像データを一覧表示（サムネイル表示）するためのＵＲＩである。図９（ａ）がその表示例である。
８０２は、撮像部１０８で撮影している映像をリアルタイムに表示（ライブビュー）するとともに、シャッターボタン２０１に相当するＧＵＩのボタンを表示するためのＵＲＩである。図９（ｂ）がその表示例である。
【００５７】
８０３は、記憶媒体１０７に格納されている映像データを一つずつ表示するためのＵＲＩである。図９（ｃ）は、映像データが静止画である場合の表示例であり、図９（ｄ）は映像データが動画である場合の表示例である。
８０４は、お気に入りと指定された映像データを一覧表示（サムネイル表示）するためのＵＲＩである。図９（ｅ）がその表示例である。
８０５は、お気に入りと指定された映像データを連続的に表示（スライドショー表示）するためのＵＲＩである。図９（ｆ）がその表示例である。
８０６は、各種設定を行う画面を表示するためのＵＲＩである。図９（ｇ）がその表示例である。
【００５８】
図１０は、カメラの動作モードとＵＲＩの関係を説明する図である。
図１０において、列１００１はデジタルカメラ１００の各動作モードであり、列１００２はそれぞれの動作モードに対応してＳ７０４で決定するＵＲＩである。例えば、デジタルカメラの動作モードが「スリープモード」である場合は、Ｓ７０４で選択されるＵＲＩは「なし（１００３）」となる。また、デジタルカメラの動作モードが「待機モード」である場合は、サムネイル表示するためのＵＲＩ（８０１、１００４）が選択される。
【００５９】
また、デジタルカメラの動作モードが「撮影モード」である場合はライブビュー表示するためのＵＲＩ（８０２、１００５）が、「再生モード（１枚表示）」である場合は映像データを一つずつ表示するためのＵＲＩ（８０３、１００６）が選択される。同様に、デジタルカメラの動作モードが「再生モード（お気に入り一覧）」の場合は、お気に入りと指定された映像データの全てあるいは一部の情報を表示する一覧表示のＵＲＩ（８０４、１００７）が選択される。また、設定モードの場合は各種設定を行うＵＲＩ（８０６、１００８）が選択される。なお、列１００２の各ＵＲＩにおいて「＜ＩＰアドレス＞」という部分は、実際にはデジタルカメラ１００のＩＰアドレスに置き換えられる。
【００６０】
図７に戻り、Ｓ７０５では、ＣＰＵ１０１は、近接無線通信部１１１の状態を確認し、近接無線通信部１１１が携帯電話１５０の近接無線通信部１５８と通信可能かどうかを判定する。具体的には、デジタルカメラ１００の近接無線通信エリア２１４と携帯電話１５０の近接無線通信エリア３０５とが十分接近したときに近接無線通信部１１１は通信可能となる。通信可能である場合はＳ７０６へ進み、通信不可能である場合にはＳ７０１へ戻る。
Ｓ７０６では、ＣＰＵ１０１は、近接無線通信部１１１が出力する応答データを更新し、不揮発性メモリ１０３に格納する。
【００６１】
図１１（ａ）は、Ｓ７０６で更新する応答データを模式化したものである。
応答データには、無線ＬＡＮのアクセスポイントとして動作しているデジタルカメラ１００に接続するための、ＳＳＩＤ・暗号化方式・パスフレーズ・カメラのＩＰアドレスが含まれている。また、当該応答データを受信した機器が無線ＬＡＮ接続後にアクセスする通信先情報として、Ｓ７０４で決定したＵＲＩを含んでいる（１１０１）。なお、Ｓ７０６における応答データは、暗号化方式・パスフレーズなどの情報を含まずに、図１１（ｂ）のようにＷＰＳ（ＷｉＦｉ  Ｐｒｏｔｅｃｔｅｄ  Ｓｅｔｕｐ：無線パラメータの自動設定機能）を実行するためのＰＩＮを含むようにしてもよい。
【００６２】
図７に戻り、Ｓ７０７では、ＣＰＵ１０１は、Ｓ７０６で更新したデータに基づき、近接無線通信部１１１から応答データを出力する。
以上で、デジタルカメラ１００の、近接無線通信部１１１に関わる処理の説明を終了する。
【００６３】
図７（ｂ）は、デジタルカメラ１００と通信しうる携帯電話１５０において、近接無線通信部１５８にかかわる処理を説明するフローチャートである。
Ｓ７５１では、ＣＰＵ１５１は、近接無線通信部１５８の状態を監視し、近接無線通信部１５８が、デジタルカメラ１００の近接無線通信部１１１と通信可能かどうかを判定する。具体的には、デジタルカメラ１００の近接無線通信エリア２１４と携帯電話１５０の近接無線通信エリア３０５とが十分接近したときに近接無線通信部１５８は通信可能となる。通信可能である場合はＳ７５２に進む。
【００６４】
Ｓ７５２では、ＣＰＵ１５１は、近接無線通信部１５８を介してデジタルカメラ１００の近接無線通信部１１１が出力するデータを受信する。なお、本ステップで受信するデータはＳ７０７で近接無線通信部１１１が出力するデータ（図１１）である。
Ｓ７５３では、ＣＰＵ１５１は、無線ＬＡＮ部１５９の状態を確認し、無線ＬＡＮ機能が有効となっているか否かを判定する。無線ＬＡＮ機能が有効である場合はＳ７５４へ、無効である場合にはＳ７５６へ進む。
【００６５】
Ｓ７５４では、ＣＰＵ１５１は、既に有効となっている無線ＬＡＮ部１５９とデジタルカメラ１００の無線ＬＡＮ部１１２とが同一無線ＬＡＮを形成しているか否かを判定する。具体的には、Ｓ７５２で受信したデータ（図１１）のＳＳＩＤが、無線ＬＡＮ部１５９が接続している無線ＬＡＮアクセスポイントのＳＳＩＤと同一であるか否かを判定する。無線ＬＡＮ部１５９と無線ＬＡＮ部１１２が同一無線ＬＡＮを形成している場合はＳ７５７へ進み、異なる無線ＬＡＮネットワークを形成している場合はＳ７５５へ進む。
【００６６】
Ｓ７５５では、ＣＰＵ１５１は、Ｓ７５２で受信したデータに従って、無線ＬＡＮ部１５９の設定を変更する。具体的には、受信したデータが図１１（ａ）の形式の場合には、受信したデータに記載されたＳＳＩＤに対して、記載された暗号化方式とパスフレーズで接続する。
一方、受信したデータが図１１（ｂ）の場合には、記載されたＰＩＮを用いてＷＰＳを実行し、無線ＬＡＮ部１５９の設定を決定する。
【００６７】
一方、Ｓ７５６では、ＣＰＵ１５１は、無効となっている無線ＬＡＮ部１５９を有効化したのち、Ｓ７５５と同様に、無線ＬＡＮ部１５９の設定を行う。
Ｓ７５７では、ＣＰＵ１５１は、無線ＬＡＮ部１５９の状態を確認し、Ｓ７５５あるいはＳ７５６で行った設定によって、デジタルカメラ１００と通信可能となっているか否かを判定する。具体的には、Ｓ７５２で受信したデータ（図１１）に含まれるデジタルカメラ１００のＩＰアドレスと通信できるか否かで判定する。デジタルカメラ１００と通信可能な場合はＳ７５８へ進み、通信不可能な場合はＳ７５１へ戻る。
【００６８】
Ｓ７５８では、ＣＰＵ１５１は、Ｓ７５２で受信したデータ（図１１）に通信先情報として有効なＵＲＩが含まれているか否かを判定する。有効なＵＲＩが含まれる場合はＳ７５９へ、含まれない場合はＳ７５１へ戻る。なお、図１０に示した通り、デジタルカメラ１００の動作状態がスリープモード以外の場合は、Ｓ７５２で受信したデータ（すなわち、Ｓ７０７でデジタルカメラ１００が送信したデータ）に有効なＵＲＩが含まれることになる。
【００６９】
Ｓ７５９では、ＣＰＵ１５１は、Ｓ７５２で受信したデータ（図１１）に含まれているＵＲＩをＷｅｂブラウザで開く。このため、デジタルカメラ１００の動作状態に応じたＵＲＩ（図１０の１００４〜１００８）を携帯電話１５０のブラウザで開くことになり、携帯電話の表示部１５４には図９に例示した画面が表示される。
以上、本実施形態によれば、映像データを保持することのできる通信装置において、当該通信装置と無線通信を確立した装置に対して通信装置の動作状態に応じた表示を簡易に行わせることのできる通信装置を提供することができる。
【００７０】
［第２の実施形態］
第２の実施形態においては、本発明の通信装置をＲＦＩＤ（Ｒａｄｉｏ  Ｆｒｅｑｕｅｎｃｙ  ＩＤｅｎｔｉｆｉｃａｔｉｏｎ）と無線ＬＡＮ機能を有するデジタルカメラとした場合を例にして説明する。本実施形態では、通信装置が扱うデータを映像データ（静止画または動画）とし、本実施形態の通信装置と通信しうる装置をＲＦＩＤリーダ機能と無線ＬＡＮ機能を有する携帯電話（スマートフォン）とする。
なお、本実施形態の説明においては、第１の実施形態と同様の部分については、第１の実施形態の説明を引用することにより省略する。
【００７１】
＜装置説明＞
図１２は、本発明の通信装置を用いたシステム全体の構成を示すブロック図である。
図１２において、１２００は本実施形態におけるデジタルカメラであり、後述の１２０１〜１２１３のユニットで構成される。１２５０は本実施形態におけるデジタルカメラと無線ＬＡＮ機能を用いて通信しうる携帯電話であり、後述の１２５１〜１２６０のユニットで構成される。１２７０と１２８０は、それぞれ第１の実施形態の１７０と１８０と同様である。
【００７２】
デジタルカメラ１２００について説明する。
図１２において、システムバス１２１３に対して、ＣＰＵ１２０１〜無線ＬＡＮ部１２１２が接続されている。具体的には、ＣＰＵ１２０１、メモリ１２０２、不揮発性メモリ１２０３、操作部１２０４、表示部１２０５、記憶媒体Ｉ／Ｆ１２０６、撮像部１２０８、画像処理部１２０９、バッテリ１２１０、ＲＦＩＤタグ１２１１、無線ＬＡＮ部１２１２が接続されている。
【００７３】
１２０１は、第１の実施形態のＣＰＵ１０１と同様である。
１２０２は、第１の実施形態のメモリ１０２と同様である。
１２０３は、不揮発性メモリであり、本デジタルカメラを制御するプログラムと、画像データや音声データ・その他のデータなどプログラムが使用するデータも格納する。また、デジタルカメラ１２００のユーザ設定情報など、電源サイクルを超えて保持する必要のあるデータも同様に不揮発性メモリ１２０３に格納される。デジタルカメラ１２００に電源が投入されると、ＣＰＵ１２０１は不揮発性メモリ１２０３からプログラムを読み込み、本デジタルカメラの制御を開始する。不揮発性メモリ１２０３は、例えばフラッシュメモリやＥＥＰＲＯＭなどからなる。
【００７４】
１２０４は、第１の実施形態の操作部１０４と同様である（操作手段）。
１２０５は、第１の実施形態の表示部１０５と同様である。
１２０６は、第１の実施形態の記憶媒体Ｉ／Ｆ１０６と同様である。
１２０７は、第１の実施形態の記憶媒体１０７と同様である。
１２０８は、第１の実施形態の撮像部１０８と同様である。
１２０９は、第１の実施形態の画像処理部１０９と同様である。
１２１０は、第１の実施形態のバッテリ１１０と同様である。
【００７５】
ＲＦＩＤタグ１２１１は、ＲＦＩＤリーダからの電波（キャリア）に応答し、内蔵する不揮発性メモリのデータを出力する通信ユニットである（第１の通信手段、記憶手段）。ＲＦＩＤタグ１２１１は、ＲＦＩＤリーダからのキャリアを受信するアンテナ、キャリアから電力を取り出す整流回路、データと無線信号を変換する変復調回路や通信コントローラから構成される。ＲＦＩＤタグ１２１１は、ＲＦＩＤリーダからのキャリアを電力として蓄積し、通信コントローラなどを駆動することにより、非接触近接通信を実現する。
【００７６】
なお、ＲＦＩＤタグ１２１１が内蔵する不揮発性メモリは、ＣＰＵ１２０１により書き換え可能である。本実施形態では、ＲＦＩＤタグ１２１１は、後述の携帯電話１２５０のＲＦＩＤリーダ１２５８と近接した際に、携帯電話１２５０の近接・離反の検出、無線ＬＡＮ部１２５９で使用する通信パラメータの送信などに利用される。
【００７７】
無線ＬＡＮ部１２１２は、ＲＦＩＤタグ１２１１より長距離の無線通信を実現するための通信ユニットである（第２の通信手段）。無線ＬＡＮ部１２１２は、無線通信のためのアンテナと無線信号を処理するための通信コントローラから構成され、ＩＥＥＥ８０２．１１ａ・ｂ・ｇ・ｎに従った無線通信を実現する。本実施形態では、無線ＬＡＮ部１２１２は、後述の携帯電話１２５０の無線ＬＡＮ部１２５９との間などで、データ通信を行う際に利用される。
１２１３は、第１の実施形態のシステムバス１１３と同様である。
【００７８】
次に、携帯電話１２５０について説明する。
図１２において、システムバス１２６０に対して、ＣＰＵ１２５１、メモリ１２５２、不揮発性メモリ１２５３、表示部１２５４、操作部１２５５、バッテリ１２５６、３Ｇ通信部１２５７、ＲＦＩＤリーダ１２５８、無線ＬＡＮ部１２５９が接続されている。
【００７９】
１２５１は、第１の実施形態のＣＰＵ１５１と同様である。
１２５２は、第１の実施形態のメモリ１５２と同様である。
１２５３は、第１の実施形態の不揮発性メモリ１５３と同様である。
１２５４は、第１の実施形態の表示部１５４と同様である。
１２５５は、第１の実施形態の操作部１５５と同様である。
１２５６は、第１の実施形態のバッテリ１５６と同様である。
１２５７は、第１の実施形態の３Ｇ通信部１５７と同様である。
【００８０】
ＲＦＩＤリーダ１２５８は、特定の周波数の電波（キャリア）を出力することにより、近接するＲＦＩＤタグからデータを読み込むための通信ユニットである。ＲＦＩＤリーダ１２５８は、キャリアの出力・ＲＦＩＤタグからの電波を受信するアンテナ、データと無線信号を変換する変復調回路や通信コントローラから構成される。
【００８１】
ＲＦＩＤリーダ１２５８は、キャリアを出力することによりＲＦＩＤタグへ微小な電力を供給し、ＲＦＩＤタグを動作させ、ＲＦＩＤタグからの電波を受信することにより、非接触近接無線通信を実現する。本実施形態では、ＲＦＩＤリーダ１２５８は、前述のデジタルカメラ１２００のＲＦＩＤタグ１２１１と近接した際に、デジタルカメラ１２００の近接・離反の検出、無線ＬＡＮ部１２５９で使用する通信パラメータの取得などに利用される。
【００８２】
無線ＬＡＮ部１２５９は、ＲＦＩＤリーダ１２５８より長距離の無線通信を実現するための通信ユニットである。無線ＬＡＮ部１２５９は、無線通信のためのアンテナと無線信号を処理するための通信コントローラから構成され、ＩＥＥＥ８０２．１１ａ・ｂ・ｇ・ｎに従った無線通信を実現する。本実施形態では、前述のデジタルカメラ１２００の無線ＬＡＮ部１２１２との間などでデータ通信を行う際に利用される。
１２６０は、第１の実施形態のシステムバス１６０と同様である。
【００８３】
デジタルカメラ１２００の外観について説明する。
デジタルカメラ１２００の外観は、２１４を除き、第１の実施形態の図２と同様であるため説明を省略する。第１の実施形態においては、２１４は近接無線通信（ＮＦＣ）を行うためのエリアであったが、本実施形態ではＲＦＩＤタグ１２１１を読み出すためのエリアに相当する。携帯電話１２５０のＲＦＩＤリーダ１２５８のアンテナがこのエリアに接近すると、ＲＦＩＤタグ１２１１の内容をＲＦＩＤリーダ１２５８で読み取ることができる。
【００８４】
携帯電話１２５０の外観について説明する。
携帯電話１２５０の外観は、３０５を除き、第１の実施形態の図３と同様であるため説明を省略する。第１の実施形態においては、３０５は近接無線通信（ＮＦＣ）を行うためのエリアであったが、本実施形態ではＲＦＩＤリーダ１２５８のアンテナが配置されている。デジタルカメラ１２００のＲＦＩＤタグ１２１１がこのエリアに接近すると、ＲＦＩＤタグ１２１１の内容をＲＦＩＤリーダ１２５８で読み取ることができる。
【００８５】
図１３は、デジタルカメラ１２００、携帯電話１２５０の接続関係（ネットワーク構成）を説明する図である。ここでは音声通信ではなく、データ通信に限定して説明する。本実施形態のデジタルカメラ１２００を用いるシステムでは、これらのネットワーク構成を必要に応じて構築することで通信を行う。
【００８６】
図１３（ａ）において、デジタルカメラ１２００が無線ＬＡＮのアクセスポイントとなり、携帯電話１２５０が無線ＬＡＮクライアントとしてデジタルカメラ１２００に接続している。したがって、デジタルカメラ１２００と携帯電話１２５０は通信を行うことができる。このとき、デジタルカメラ１２００はＨＴＴＰサーバ（Ｗｅｂサーバ）機能として動作し、携帯電話１２５０のＷｅｂブラウザ機能を用いてＨＴＴＰサーバが公開するデータ（記憶媒体１２０７に格納されている映像データ等）を閲覧することができる。
【００８７】
図１３（ｂ）において、携帯電話１２５０は３Ｇ通信部１２５７を用い、インターネット１２８０を介して、インターネット上のサーバ１３０１と通信することができる。このとき、サーバ１３０１がＨＴＴＰサーバ（Ｗｅｂサーバ）として動作することにより、携帯電話１２５０のＷｅｂブラウザ機能を用いて、サーバ１３０１の公開するデータを閲覧することができる。
【００８８】
図１４は、デジタルカメラ１２００の動作状態の遷移を説明する状態遷移図である。
デジタルカメラ１２００は、電源オフモード１４０１と電源オンモード１４０２を有する。デジタルカメラ１２００は、バッテリ１２１０が装着されると電源オフモード１４０１に遷移し、電源ボタン２０６の押下により電源オフモード１４０１と電源オンモード１４０２間を交互に遷移する。
【００８９】
電源オンモード１４０２は、サブ状態として撮影モード１４０３、設定モード１４０４、再生モード（１枚表示）１４０５、再生モード（お気に入り一覧）１４０６を有する。
撮影モード１４０３では、ユーザはシャッターボタン２０１の押下により撮影を行うことができる。撮影モード１４０３において、メニューボタン２０９が押下されると、デジタルカメラ１２００は設定モード１４０４に遷移するとともに、ＬＣＤ２１３に設定メニューを表示する。
【００９０】
設定モード１４０４において、シャッターボタン２０１が押されると、デジタルカメラ１２００は撮影モード１４０３に復帰する。
撮影モード１４０３において、再生ボタン２１０が押下されると、デジタルカメラ１２００は再生モード（１枚表示）１４０５に遷移する。それとともに、ＬＣＤ２１３に記憶媒体１２０７に格納されている映像データの一つ（最後に撮影された映像データ）をＬＣＤ２１３に表示する。
【００９１】
再生モード（１枚表示）１４０５において、十字コントローラ２１２の左右ボタンが押下されると、デジタルカメラ１２００はＬＣＤ２１３に表示する映像データを、記憶媒体１２０７に格納されている他の映像データに更新する。また、再生モード（１枚表示）１４０５において、お気に入りボタン２０８が押下されると、デジタルカメラ１２００は再生モード（お気に入り一覧）１４０６に遷移する。そして、記憶媒体１２０７に格納されている映像データのうち、図示しない操作メニューによりユーザによりお気に入りと指定された映像データを、ＬＣＤ２１３に表示する。この時、映像データは縮小されて縮小映像として表示され、ＬＣＤ２１３には複数の映像データが表示される（いわゆるサムネイル表示）。なお、再生モード（１枚表示）１４０５において、シャッターボタン２０１が押されると、デジタルカメラ１２００は撮影モード１４０３に復帰する。
【００９２】
再生モード（お気に入り一覧）１４０６において、十字コントローラ２１２の上下左右ボタンと決定ボタンを用いることでユーザはＬＣＤ２１３に表示されている複数の映像データのうち、いずれかを選択することができる。いずれかの映像データが選択されると、デジタルカメラ１００は、再生モード（１枚表示）１４０５に遷移し、ＬＣＤ２１３に選択された映像データを表示する。
【００９３】
図１４（ｂ）は、図１４（ａ）の各状態において、デジタルカメラ１２００のＲＦＩＤタグ、無線ＬＡＮ機能、ＨＴＴＰサーバ機能のそれぞれが利用可能な状態であるかどうかを示す図である。
図１４（ｂ）で示すように、すべての状態でＲＦＩＤタグは利用可能である。すなわち、ＲＦＩＤタグ１２１１は、２１４にＲＦＩＤリーダが接近すると、ＲＦＩＤデータはＲＦＩＤタグのデータを取得することができる。
【００９４】
一方、無線ＬＡＮ機能は電源オフにおいては利用することができない。デジタルカメラ１２００が電源オフモード以外の状態である場合は、無線ＬＡＮ機能は有効となり、無線ＬＡＮ部１２１２は他の無線ＬＡＮ機器と通信を行うことができる。
また、図１３において説明したデジタルカメラ１２００のＨＴＴＰサーバ機能も同様に、電源オフモードにおいては利用することができない。デジタルカメラ１２００が電源オフモード以外の状態である場合は、ＨＴＴＰサーバ機能は無線ＬＡＮ機能と共に有効となり、Ｗｅｂブラウザからの接続を受け付けることができるようになる。
【００９５】
＜動作説明＞
本実施形態におけるデジタルカメラ１２００と、デジタルカメラ１２００と通信しうる携帯電話１２５０の動作を図１５のフローチャートおよび図１６〜図１８を用いて説明する。
図１５（ａ）は、デジタルカメラ１２００において、ＲＦＩＤタグ１２１１のデータ（ＲＦＩＤタグ１２１１が内蔵する不揮発性メモリの内容）に関わる処理を説明するフローチャートである。なお、ＲＦＩＤタグの読み出しは本フローチャートとは非同期で行われるものとする。すなわち、ＲＦＩＤリーダ１２５８は、ＲＦＩＤタグ１２１１に近接することにより、任意のタイミングでＲＦＩＤタグ１２１１の不揮発性メモリのその時点での内容を読み出すことができる。
【００９６】
Ｓ１５０１では、ＣＰＵ１２０１は、ＲＦＩＤタグ１２１１のデータを初期化する。
図１６は、ＲＦＩＤタグ１２１１のデータを模式化したものである。
図１６（ａ）と（ｂ）で示すように、ＲＦＩＤタグ１２１１のデータは「無線ＬＡＮパラメータ」と「通信先情報」から構成される。
「無線ＬＡＮパラメータ」は、無線ＬＡＮのアクセスポイントとして動作しているデジタルカメラ１２００に接続するための、ＳＳＩＤ・暗号化方式・パスフレーズ・カメラのＩＰアドレスから構成される（図１６（ｂ））。なお、デジタルカメラ１２００が無線ＬＡＮアクセスポイントとして動作していない場合は図１６（ａ）のように、「無線ＬＡＮパラメータ」は存在しない。
【００９７】
「通信先情報」は、当該データを読み出した機器が無線ＬＡＮ接続後にアクセスする通信先情報（ＵＲＩ）であり、ＵＲＩ形式のデータである。ＲＦＩＤタグ１２１１に保持するＵＲＩの決定方法については、Ｓ１５０５の説明において後述する。
【００９８】
図１５に戻り、Ｓ１５０１では、デジタルカメラ１２００は動作直後の電源オフモードであるため、無線ＬＡＮ機能及びＨＴＴＰサーバ機能は無効となっている（図１４（ｂ））。したがって、ＲＦＩＤタグ１２１１の初期データとしては、図１６（ａ）のように「無線ＬＡＮパラメータ」は「なし」、「通信先情報」は「外部ＵＲＩ」となる。外部ＵＲＩとは、デジタルカメラ１２００のＨＴＴＰサーバ手段以外の個別のインターネット上のＨＴＴＰサーバ（例えば、図１３の１３０１）を指す。例えば、デジタルカメラ１２００の機能を紹介するＵＲＩや、デジタルカメラ１２００の所有者のオンラインアルバムのＵＲＩ等を用いる。
【００９９】
Ｓ１５０２では、ＣＰＵ１２０１は、図１４で示した各モード間を遷移させる事象（イベント）が発生したか否かを判定する。イベントが発生した場合はＳ１５０３へ進み、イベントが発生していない場合はＳ１５０２へ戻る。
Ｓ１５０３では、ＣＰＵ１２０１は、図１４の状態遷移図に従いカメラの動作モードを変更する。例えば、動作モードが「撮影モード」であった場合に、Ｓ１５０２で「メニューボタン押下」のイベントを検出した場合は、動作モードを「設定モード」に遷移させる。なお、動作モードとイベントの組み合わせによっては動作モードの遷移が発生しない場合もありうる。
【０１００】
Ｓ１５０４では、ＣＰＵ１２０１は、Ｓ１５０３で動作モードの変更があったか否かを判定する。動作モードの変更があった場合はＳ１５０５へ、動作モードの変更がなかった場合はＳ１５０２へ戻る。
Ｓ１５０５では、ＣＰＵ１２０１は、Ｓ１５０３で決定した新しい動作モードに対応したＵＲＩを選択する。
【０１０１】
Ｓ１５０５におけるＵＲＩの選択方法について、図８〜図９、図１７〜図１８を用いて説明する。
デジタルカメラ１２００のＨＴＴＰサーバ機能が提供するＨＴＭＬデータのツリー構造と、その各ＨＴＭＬデータの携帯電話での表示例は、第１の実施形態の図８および図９と同様である。
【０１０２】
図１７は、カメラの動作モードとＵＲＩの関係を説明する図である。
図１７において、列１７０１はデジタルカメラ１２００の各動作モードであり、列１７０２はそれぞれの動作モードに対応してＳ１５０５で決定するＵＲＩである。たとえば、デジタルカメラの動作モードが「電源オフモード」である場合は、Ｓ１５０５で選択されるＵＲＩは外部ＵＲＩである「ｈｔｔｐ：／／ａｌｂｕｍ．ｃａｎｏｎ．ｃｏｍ／ｕｓｅｒｉｄ／」（１７０３）となる。
【０１０３】
また、デジタルカメラの動作モードが「撮影モード」である場合はライブビュー表示するためのＵＲＩ（８０２、１７０４）が、「再生モード（１枚表示）」である場合は映像データを一つずつ表示するためのＵＲＩ（８０３、１７０５）が選択される。同様に、デジタルカメラの動作モードが「再生モード（お気に入り一覧）」の場合は、お気に入りと指定された映像データの全てあるいは一部を連続して再生表示するためのＵＲＩ（８０５、１７０６）が選択される。また、設定モードの場合は各種設定を行うＵＲＩ（８０６、１７０７）が選択される。なお、列１７０２の各ＵＲＩにおいて「＜ＩＰアドレス＞」という部分は、実際にはデジタルカメラ１２００のＩＰアドレスに置き換えられる。
【０１０４】
図１５に戻り、Ｓ１５０６では、ＣＰＵ１２０１は、ＲＦＩＤタグ１２１１内の不揮発性メモリを更新し、Ｓ１５０５で決定したＵＲＩを図１６のフォーマットで書き込む。本ステップが終了すると、ＣＰＵ１２０１は、Ｓ１５０２へ戻り、次のイベント発生を待つ。
以上で、デジタルカメラ１２００における、ＲＦＩＤタグ１２１１のデータ（ＲＦＩＤタグ１２１１が内蔵する不揮発性メモリの内容）に関わる処理の説明を終了する。
【０１０５】
図１５（ｂ）は、デジタルカメラ１２００と通信しうる携帯電話１２５０において、ＲＦＩＤリーダ１２５８にかかわる処理を説明するフローチャートである。
Ｓ１５５１では、ＣＰＵ１２５１は、ＲＦＩＤリーダ１２５８の状態を監視し、ＲＦＩＤリーダ１２５８が、デジタルカメラ１２００のＲＦＩＤタグ１２１１を検出しているか否かを判定する。具体的には、デジタルカメラ１２００のＲＦＩＤタグを読み出すための近接無線通信エリア２１４と携帯電話１２５０のＲＦＩＤリーダのエリア３０５とが十分接近したときにＲＦＩＤリーダ１２５８はＲＦＩＤタグ１２１１を検出する。ＲＦＩＤタグを検出している場合はＳ１５５２に進む。
【０１０６】
Ｓ１５５２では、ＣＰＵ１２５１は、ＲＦＩＤリーダ１２５８を介してデジタルカメラ１２００のＲＦＩＤタグ１２１１の保持するデータを取得する。なお、本ステップで受信するデータはＳ１５０１あるいはＳ１５０６においてＣＰＵ１２０１がＲＦＩＤタグ１２１１にセットしたデータ（図１６）である。
Ｓ１５５３では、ＣＰＵ１２５１は、Ｓ１５０２で取得したＲＦＩＤタグ１２１１のデータに、無線ＬＡＮ情報が含まれているか否かを判定する。無線ＬＡＮ情報が含まれていない場合（図１６（ａ）の形式の場合）はＳ１５５９へ、無線ＬＡＮ情報が含まれている場合（図１６（ｂ）の形式の場合）はＳ１５５４へ進む。
【０１０７】
Ｓ１５５４では、ＣＰＵ１２５１は、無線ＬＡＮ部１２５９の状態を確認し、無線ＬＡＮ機能が有効となっているか否かを判定する。無線ＬＡＮ機能が有効である場合はＳ１５５５へ、無効である場合はＳ１５５７へ進む。
Ｓ１５５５では、ＣＰＵ１２５１は、既に有効となっている無線ＬＡＮ部１２５９とデジタルカメラ１２００の無線ＬＡＮ部１２１２とが同一無線ＬＡＮを形成しているか否かを判定する。具体的には、Ｓ１５５２で取得したデータ（図１６（ｂ））のＳＳＩＤが、無線ＬＡＮ部１２５９が接続している無線ＬＡＮアクセスポイントのＳＳＩＤと同一であるか否かを判定する。無線ＬＡＮ部１２５９と無線ＬＡＮ部１２１２が同一無線ＬＡＮを形成している場合はＳ１５５８へ、異なる無線ＬＡＮネットワークを形成している場合はＳ１５５６へ進む。
【０１０８】
Ｓ１５５６では、ＣＰＵ１２５１は、Ｓ１５５２で取得したデータに従って、無線ＬＡＮ部１２５９の設定を変更する。具体的には、取得したデータ（図１６（ｂ））に記載されたＳＳＩＤに対して、記載された暗号化方式とパスフレーズで接続する。
一方、Ｓ１５５７では、ＣＰＵ１２５１は、無効となっている無線ＬＡＮ部１２５９を有効化したのち、Ｓ１５５６と同様に、無線ＬＡＮ部１２５９の設定を行う。
【０１０９】
Ｓ１５５８では、ＣＰＵ１２５１は、無線ＬＡＮ部１２５９の状態を確認し、Ｓ１５５６あるいはＳ１５５７で行った設定によって、デジタルカメラ１２００と通信可能となっているか否かを判定する。具体的には、Ｓ１５５２で取得したデータ（図１６）に含まれるデジタルカメラ１２００のＩＰアドレスと通信できるか否かで判定する。デジタルカメラ１２００と通信可能な場合はＳ１５５９へ進み、通信不可能な場合はＳ１５５１へ戻る。
【０１１０】
Ｓ１５５９では、ＣＰＵ１２５１は、Ｓ１５５２で取得したデータ（図１６）に含まれているＵＲＩをＷｅｂブラウザで開く。このため、デジタルカメラ１２００の動作状態に応じたＵＲＩ（図１７の１７０３〜１７０７）を携帯電話１２５０のブラウザで開くことになり、携帯電話の表示部１２５４には図９に例示した画面が表示される。なお、Ｓ１５５２で取得したデータが、通信先情報として図１６（ａ）のように外部のＵＲＩを含んでいる場合は、図１８のように当該ＵＲＩのＷｅｂコンテンツが表示される。
【０１１１】
以上、本実施形態によれば、映像データを保持することのできる通信装置において、当該通信装置と無線通信を確立した装置に対して通信装置の動作状態に応じた表示を簡易に行わせることのできる通信装置を提供することができる。さらに、通信装置が電源オフモードの際にインターネット上のＨＴＴＰサーバの情報を提供することで、通信装置のＨＴＴＰサーバが動作していない状況においても当該通信装置と無線通信を確立した装置に対して適切な表示を行わせることができる。
【０１１２】
［第３の実施形態］
第１の実施形態および第２の実施形態では、第２の通信手段として無線ＬＡＮを用いたが、本発明はこれに限定されるわけではなく、例えばＢｌｕｅｔｏｏｔｈ（登録商標）などの他の通信方式を用いてもよい。
また、第１の実施形態および第２の実施形態では、本発明の通信装置としてデジタルカメラを用いた。しかし、本発明はこれに限定されるわけではなく、パーソナルコンピュータ、メディアプレーヤ、メディアサーバ、携帯電話、ＰＤＡ、タブレットコンピュータ、ゲーム機など他の装置であってもよい。
さらに、本発明の通信装置と通信しうる装置として携帯電話を用いた。この他にパーソナルコンピュータ、メディアプレーヤ、メディアサーバ、デジタルカメラ、ＰＤＡ、タブレットコンピュータ・ゲーム機など他の装置であってもよい。
【０１１３】
（その他の実施形態）
本発明は、以下の処理を実行することによっても実現される。即ち、前述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【０１１４】
１００  デジタルカメラ
１０１  ＣＰＵ
１０２  メモリ
１０３  不揮発性メモリ
１０４  操作部
１０５  表示部
１０６  記憶媒体Ｉ／Ｆ
１０７  記憶媒体
１０８  撮像部
１０９  画像処理部
１１０  バッテリ
１１１  近接無線通信部（第１の通信手段）
１１２  無線ＬＡＮ部（第２の通信手段）
１１３  システムバス
１５０  携帯電話
１５１  ＣＰＵ
１５２  メモリ
１５３  不揮発性メモリ
１５４  表示部
１５５  操作部
１５６  バッテリ
１５７  ３Ｇ通信部
１５８  近接無線通信部
１５９  無線ＬＡＮ部
１６０  システムバス
１７０  移動体通信網
１８０  インターネット
【図１】
2017091354.tif 000003
【図２】
2017091354.tif 000004
【図３】
2017091354.tif 000005
【図４】
2017091354.tif 000006
【図５】
2017091354.tif 000007
【図６】
2017091354.tif 000008
【図７】
2017091354.tif 000009
【図８】
2017091354.tif 000010
【図９】
2017091354.tif 000011
【図１０】
2017091354.tif 000012
【図１１】
2017091354.tif 000013
【図１２】
2017091354.tif 000014
【図１３】
2017091354.tif 000015
【図１４】
2017091354.tif 000016
【図１５】
2017091354.tif 000017
【図１６】
2017091354.tif 000018
【図１７】
2017091354.tif 000019
【図１８】
2017091354.tif 000020